(57)【要約】【課題】  従来の内燃機関を利用した発電機、建設重機、車両又は工場設備から出る排気ガスは単に排気管からそのまま放出されていたため、温度の高い排気ガス及びその排気ガス内に含まれている排出ガス中の窒素酸化物（ＮＯｘ）粒子状物質（ＰＭ）等の不純物が放出され、大気汚染や昨今問題となっている地球温暖化の原因となっている。【解決手段】本発明は上記目的を達成するために、水と空気を混合した空気を従来の排気ガスと混ぜ合わせ、排気ガス及びファンにて送風した力を利用し、二つの別々の冷却ファン内を循環させ、攪拌することにより、排気ガスの温度を下げると共に、ファン部分に設置した磁石板及び断熱シートへ排気ガス内の不純物を吸着させた後、大気中に放出させることにより、気温上昇及び排気ガス内の不純物の大気中への拡散を防ぐものである。【選択図】図１
2009264361.tif 000002
【特許請求の範囲】
【請求項１】
既存の内燃機関を利用した発電機、建設重機、車両又は工場設備等の排気管（１）に空気及び水を混合した空気を送り込むファン（１８）をアタッチメント部（３）により接続し、既存の排気管からの排気ガスと空気及び水を混合した上ファンにより送り込まれた空気の力により第一次冷却ファン（４）内のファン（８）を回転させることにより第二次冷却ファン（１１）内のファン（１４）をも回転させながら、空気及び水を混合した空気により排気ガスの温度を下げながると共に、第二次冷却ファン（１１）内の断熱シート（３２）及び磁石板（３１）に排気ガス内の不純物を付着、吸着させ不純物を取り去りながら排気管（１６）から空気中に冷却及び浄化された排気ガスを排出する排気ガス浄化装置。
【発明の詳細な説明】
【技術分野】
【０００１】  本発明は、既存の内燃機関を利用した発電機、建設重機、車両又は工場設備から出る排気ガスの温度を下げると共に排気ガス内の不純物を取り去りながら大気上へ排気ガスを放出することにより、昨今問題となっている地球温暖化の原因を予防するために安価で製作並びに利用できる排気ガス浄化装置に関する。
【背景技術】
【０００２】  従来の内燃機関を利用した発電機、建設重機、車両又は工場設備から出る排気ガスは単に排気管からそのまま放出されていた。
【発明の開示】
【発明が解決しようとする課題】
【０００３】  従来の内燃機関を利用した発電機、建設重機、重車両又は工場設備から出る排気ガスは単に排気管からそのまま放出されていたため、温度の高い排気ガス及びその排気ガス内に含まれている排出ガス中の窒素酸化物（ＮＯｘ）粒子状物質（ＰＭ）等が放出され、大気汚染や昨今問題となっている地球温暖化の原因となっている。【０００４】  本発明はこのような温度の高い排気ガスの温度を下げながら排出ガス中の不純物である窒素酸化物（ＮＯｘ）粒子状物質（ＰＭ）等を除去することを目的としたものである。
【課題を解決するための手段】
【０００５】  本発明は上記目的を達成するために、まず水タンク（２７）と医療用点滴機器に利用される水滴の流入量を加減するローラクレンメ（２５）を管（２６）に接続した上、空気と水を混合し放出するファン（１８）に管（２４）を用いてこの水（２８）の水滴を流し、発電機及び建設重機から電源を取ったファン（１９）を回すことにより、空気の吸入口（２３）から管（２２）を介して空気を吸入し、管（２４）から流される水滴と共に吸入口（２１）から空気と水分が混合された空気をを吸入しながら従来の排気ガスを放出するマフラーへのアタッチメント部へ空気と水が混合された空気を送り出す。【０００６】  上記のような形態でアタッチメント部（３）へ送風された空気と水が混合された空気は従来の排気ガスと共に第一次冷却ファン（４）へ送り込まれその空気の力でファン（８）を押し、ファン（８）が回転することにより第二次冷却ファン（１１）内のファン（１４）をも回転させながら第一次冷却ファン（４）から第二次冷却ファン（１１）との接合管（９）を介して第二次冷却ファン内に排気ガス及び空気と水が混合された空気が流入する。【０００７】  上記のような形態で第二次冷却ファン（１１）へと流入した空気は回転するファン（１４）にぶつかる中でファン（１１）に張り付けている磁石シート（３１）の磁力により空気内の不純物を引き付けると共に、水分と混合した不純物を断熱シート（３２）に吸着させる。【０００８】  このような形で、空気と水分が混合した空気と排気ガスが混ぜ合わされ第一次冷却ファン（４）のファン（８）及び第二次冷却ファン（１１）のファン（１４）で攪拌されることにより排気ガスの温度を下げると共に第二次冷却ファン（１１）のファン（１４）に張り付けている断熱シート（３２）に不純物を吸着させることにより浄化された排気ガスを第二次冷却ファン（１１）の排気管の接続口（１５）から排気管（１６）を介して大気中へ放出させる。
【発明の効果】
【０００９】上述した内容にて本発明の排気ガス浄化装置は、従来の内燃機関を利用した発電機、建設重機、車両又は工場設備から出る排気ガスの温度を下げると共に排気ガス内の不純物を取り去りながら大気上へ排気ガスを放出することにより、昨今問題となっている地球温暖化の原因を予防することが可能になる。
【発明の実施するための最良の形態】
【００１０】  以下、本発明の実施の形態を図１〜図６に基づいて説明する。
【００１１】  図１においては、本発明の全体を示した斜視図、図８は側面から見た立面図であり、１の従来の排気ガスを放出する排気管に３のアタッチメントを用いて２３の空気の吸入口から取り込んだ空気と２７の水タンクから取り入れた２８の水を２５のローラクレメントにて調整した水滴を１９のファンにて取り込んだ空気と水の混合された空気を排気ガスと混ぜ合わせた後、４の第一次冷却ファンへ送風し、８のファンを回転させながら１１の第二次冷却ファンへ送風し、１４のファンへこの空気をあてながら、冷却すると共に３２の断熱シートへ不純物を吸着させ１５の排気管への接続口から１６の排気管を介して排気ガスを放出する。
【００１２】  図２において４の第一次冷却ファンの立面図と平面図、図３は１１の第二次冷却ファンの立面図と平面図となっており、１２は４の第一次冷却ファン及び１１の第二次冷却ファンのそれぞれの８及び１４のファンを接続している６の軸が同じものであることを示している。
【００１３】  図４は１８の空気と水を混合し放出するファンの立面図及び平面図であり、図５は２７の水タンクからの水と２３の空気吸入口からの空気を混合させる仕組みの前面からの立面図と側面からの立面図であり、図６は１４のファンが排気ガス内の不純物を吸着させる仕組みとして３０の鉄板、３１の磁石板、３２の断熱シートから成り立っている構造を示した斜視図であり、図７は同様に１４のファンの構造を示した立面図である。
【図面の簡単な説明】
【００１４】
【図１】本発明の排気ガス浄化装置の実施形態を示す全体の斜視図
【図２】第一次冷却ファンの立面図及び平面図
【図３】第二次冷却ファンの立面図及び平面図
【図４】空気と水を混合し放出するファン
【図５】水タンクからの水と空気吸入口からの空気を混合させる仕組みの前面からの立面図及び側面からの立面図
【図６】第二次冷却ファン内の設置されているファンの斜視図
【図７】第二次冷却ファン内の設置されているファンの立面図
【図８】本発明の排気ガス浄化装置の実施形態を示す全体の立面図
【符号の説明】
【００１５】  １  従来の発電機又は重機の排気ガスを放出するマフラー
２  第一次冷却ファンとマフラー及びアタッチメントとの接続口
３  従来の発電機又は重機の排気ガスを放出するマフラーに接続するアタッチメント部
４  第一次冷却ファン
５  第一次冷却ファンから第二次冷却ファンへ送風する接合管の取り付け口
６  第一次冷却ファン内部のファンと第二次冷却ファン内部のファンとを連動させる軸
７  風を受けるファンの側面部
８  風を受けるファン
９  第一次冷却ファンと第二次冷却ファンとを接合する接合管の取り付け口
１０  第一次冷却ファンから送風されてくる接合管の取り付け口
１１  第二次冷却ファン
１２  第二次冷却ファンと第二次冷却ファンの連続して接合している軸部分
１３  風を受けるファンの側面部
１４  風を受けるファン
１５  冷却した排気ガスを放出する排気管への接続口
１６  排気管
１７  第一次冷却ファンと空気と水を混合し放出するファン部分とを接合する接合管
１８  空気と水を混合し放出するファン
１９  空気と水を吸気するためのファン
２０  ファンの電源線
２１  空気と水を吸気するための吸入口
２２  空気と水を混合させる管
２３  空気の吸入口
２４  ローラクレンメからの水滴を空気と水を混合させる管へ流す管
２５  水滴の流入量を加減するローラクレンメ
２６  水タンクとローラクレンメを接続する管
２７  水タンク
２８  水
２９  水タンクへ水を補充する口及び蓋
３０  ファンの中心を成す中央がメッシュ状になった鉄板
３１  磁石板
３２  断熱シート
３３  ボルト
３４  ナット
【図１】
2009264361.tif 000003
【図２】
2009264361.tif 000004
【図３】
2009264361.tif 000005
【図４】
2009264361.tif 000006
【図５】
2009264361.tif 000007
【図６】
2009264361.tif 000008
【図７】
2009264361.tif 000009
【図８】
2009264361.tif 000010